(57)【要約】【課題】  プロジェクタにおいて、プレチルトを持った配向方向により生じる色ドメインの発生するのを防止する。【解決手段】  光源と、前記光源から照射される光を変調する複数の液晶表示パネルと、前記各液晶表示パネルにより変調された光が投射されるスクリーンとを備えるプロジェクタであって、前記複数の液晶表示パネル中の１つの液晶表示パネルの配向方向が、他の液晶表示パネルの配向方向と異なり、前記スクリーン上において前記各液晶表示パネルの配向方向が一致する。【選択図】        図１
2006162639.tif 000002
【特許請求の範囲】
【請求項１】
マトリクス状に配置される複数の画素を有する液晶表示パネルと、
前記各画素を制御・駆動する駆動回路とを備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、前記各画素の第１のトランジスタを同時にオンとして前記各画素の容量素子に書き込まれた映像電圧を一括して画素容量に書き込むことを特徴とする液晶表示装置。
【請求項２】
前記液晶表示パネルは、前記各画素電極と液晶を介して対向する対向電極を有し、
前記制御回路は、前記対向電極に対して、所定の期間内に第２共通電圧を、それ以外の期間に第１共通電圧を印加し、
前記所定の期間は、前記各画素の第１のトランジスタをオンとして前記各画素容量に映像電圧を書き込む時点を含み、
前記対向電極に第２共通電圧を印加したときに、液晶表示パネルには黒が表示されることを特徴とする請求項１に記載の液晶表示装置。
【請求項３】
マトリクス状に配置される複数の画素を有する液晶表示パネルと、
前記各画素を制御・駆動する駆動回路とを備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、複数の表示ライン上の各画素の第１のトランジスタを、前記複数の表示ライン毎に順次オンとして前記複数の表示ラインの各画素の容量素子に書き込まれた映像電圧を各画素容量に書き込むことを特徴とする液晶表示装置。
【請求項４】
マトリクス状に配置される複数の画素を有する液晶表示パネルと、
前記各画素を制御・駆動する駆動回路とを備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、各表示ライン上の各画素の第１のトランジスタを順次オンとして前記各画素の容量素子に書き込まれた映像電圧を各画素容量に書き込むことを特徴とする液晶表示装置。
【請求項５】
マトリクス状に配置される複数の画素を有する液晶表示パネルと、
前記各画素を制御・駆動する駆動回路とを備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各フレーム毎に複数回、各表示ライン上の各画素の画素トランジスタを順次オンとして前記各画素の容量素子に順次映像電圧を書き込んだ後に、前記各画素の第１のトランジスタを同時にオンとして前記各画素の容量素子に書き込まれた映像電圧を一括して画素容量に書き込むことを特徴とする液晶表示装置。
【請求項６】
バックライトを有し、
前記バックライトは、前記各画素の第１のトランジスタをオンとして前記各画素容量に映像電圧を書き込む時点を含む任意の期間内にオフとされることを特徴とする請求項１ないし請求項５のいずれか１項に記載の液晶表示装置。
【請求項７】
前記各画素は、前記第１のトランジスタと前記画素電極との間に接続される第２のトランジスタを有し、
前記駆動回路は、前記第２のトランジスタを周期的にオンとすることを特徴とする請求項１ないし請求項６のいずれか１項に記載の液晶表示装置。
【請求項８】
前記各画素は、前記第１のトランジスタと前記画素電極との間に接続される第２のトランジスタを有し、
前記駆動回路は、前記第１のトランジスタをオンとする前に、前記第２のトランジスタをオンとして前記各画素の容量素子に黒を表示する映像電圧を書き込むことを特徴とする請求項１、請求項３ないし請求項７のいずれか１項に記載の液晶表示装置。
【請求項９】
光源と、
前記光源から照射される光を変調する複数の液晶表示パネルと、
前記各液晶表示パネルにより変調された光が投射されるスクリーンとを備えるプロジェクタであって、
前記各液晶表示パネルは、マトリクス状に配置される複数の画素を有し、
前記各画素を制御・駆動する駆動回路を備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、前記各画素の第１のトランジスタを同時にオンとして前記各画素の容量素子に書き込まれた映像電圧を一括して画素容量に書き込むことを特徴とするプロジェクタ。
【請求項１０】
前記液晶表示パネルは、前記各画素電極と液晶を介して対向する対向電極を有し、
前記制御回路は、前記対向電極に対して、所定の期間内に第２共通電圧を、それ以外の期間に第１共通電圧を印加し、
前記所定の期間は、前記各画素の第１のトランジスタをオンとして前記各画素容量に映像電圧を書き込む時点を含み、
前記対向電極に第２共通電圧を印加したときに、液晶表示パネルには黒が表示されることを特徴とする請求項９に記載のプロジェクタ。
【請求項１１】
光源と、
前記光源から照射される光を変調する複数の液晶表示パネルと、
前記各液晶表示パネルにより変調された光が投射されるスクリーンとを備えるプロジェクタであって、
前記各液晶表示パネルは、マトリクス状に配置される複数の画素を有し、
前記各画素を制御・駆動する駆動回路を備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、複数の表示ライン上の各画素の第１のトランジスタを、前記複数の表示ライン毎に順次オンとして前記複数の表示ラインの各画素の容量素子に書き込まれた映像電圧を各画素容量に書き込むことを特徴とするプロジェクタ。
【請求項１２】
光源と、
前記光源から照射される光を変調する複数の液晶表示パネルと、
前記各液晶表示パネルにより変調された光が投射されるスクリーンとを備えるプロジェクタであって、
前記各液晶表示パネルは、マトリクス状に配置される複数の画素を有し、
前記各画素を制御・駆動する駆動回路を備え、
前記各画素は、画素電極と、
画素トランジスタと、
前記画素トランジスタと前記画素電極との間に接続される第１のトランジスタと、
前記画素トランジスタと前記第１のトランジスタとの間に接続される容量素子とを有し、
前記駆動回路は、各表示ライン上の各画素の画素トランジスタを順次オンとして前記各画素の容量素子に順次映像電圧を書き込んだ後に、各表示ライン上の各画素の第１のトランジスタを順次オンとして前記各画素の容量素子に書き込まれた映像電圧を各画素容量に書き込むことを特徴とするプロジェクタ。
【請求項１３】
前記各画素は、前記第１のトランジスタと前記画素電極との間に接続される第２のトランジスタを有し、
前記駆動回路は、前記第２のトランジスタを周期的にオンとすることを特徴とする請求項９ないし請求項１２のいずれか１項に記載のプロジェクタ。
【請求項１４】
前記各画素は、前記第１のトランジスタと前記画素電極との間に接続される第２のトランジスタを有し、
前記駆動回路は、前記第１のトランジスタをオンとする前に、前記第２のトランジスタをオンとして前記各画素の容量素子に黒を表示する映像電圧を書き込むことを特徴とする請求項９、請求項１１ないし請求項１２のいずれか１項に記載のプロジェクタ。
【請求項１５】
光源と、
前記光源から照射される光を変調する複数の液晶表示パネルと、
前記各液晶表示パネルにより変調された光が投射されるスクリーンとを備え、
前記スクリーン上において前記各液晶表示パネルの配向方向が一致することを特徴とするプロジェクタ。
【請求項１６】
光源と、
前記光源から照射される光を変調する複数の液晶表示パネルと、
前記各液晶表示パネルにより変調された光が投射されるスクリーンとを備えるプロジェクタであって、
前記複数の液晶表示パネル中の１つの液晶表示パネルの配向方向が、他の液晶表示パネルの配向方向と異なることを特徴とするプロジェクタ。
【請求項１７】
前記１つの液晶表示パネルの配向方向と、前記他の液晶表示パネルの配向方向とは、任意の直線に対して線対称の関係にあることを特徴とする請求項１６に記載のプロジェクタ。
【請求項１８】
光源と、
前記光源から照射される光を変調する複数の液晶表示パネルと、
前記各液晶表示パネルにより変調された光が投射されるスクリーンとを備えるプロジェクタであって、
前記各液晶表示パネルの配向方向が、前記液晶表示パネルの４辺の中の相対向する１辺の延長方向と一致することを特徴とするプロジェクタ。
【請求項１９】
前記複数の液晶表示パネルは、赤、緑、青用の３個の液晶表示パネルであることを特徴とする請求項１５ないし請求項１８のいずれか１項に記載のプロジェクタ。
【請求項２０】
前記複数の液晶表示パネルは、透過型の液晶表示パネルを含むことを特徴とする請求項１５ないし請求項１９のいずれか１項に記載のプロジェクタ。
【請求項２１】
前記複数の液晶表示パネルは、反射型の液晶表示パネルを含むことを特徴とする請求項１５ないし請求項１９のいずれか１項に記載のプロジェクタ。
【請求項２２】
光源と、
前記光源から照射される光を変調する複数の液晶表示パネルと、
前記各液晶表示パネルにより変調された光が投射されるスクリーンと、
前記各液晶表示パネルを駆動する制御回路とを備えるプロジェクタであって、
前記制御回路は、検査または試験に使用される任意のパターンを生成、出力するパターン出力回路と、
検査または試験に使用される任意の静止画を生成、出力する静止画出力回路とを有することを特徴とするプロジェクタ。
【請求項２３】
複数のパターンデータを格納する第１メモリを有し、
前記パターン出力回路は、フレームメモリと、
前記第１メモリから所定のパターンデータを読み出し前記フレームメモリに格納するとともに、前記フレームメモリから所定のパターンデータを読み出し所定のパターンを生成する手段１とを有することを特徴とする請求項２２に記載のプロジェクタ。
【請求項２４】
前記第１メモリに格納されるパターンデータは、縦縞あるいは横縞の１表示ライン分のパターンデータであり、
前記パターン出力回路の手段１は、前記フレームメモリに格納された前記縦縞あるいは横縞の１表示ライン分のパターンデータを繰り返して読み出し、所定の縦縞あるいは横縞のパターンを生成することを特徴とする請求項２３に記載のプロジェクタ。
【請求項２５】
前記第１メモリに格納されるパターンデータは、１単位ブロック分のパターンデータであり、
前記パターン出力回路の手段１は、前記フレームメモリに格納された前記１単位ブロック分のパターンデータを繰り返して読み出し、所定の市松パターンを生成することを特徴とする請求項２３に記載のプロジェクタ。
【請求項２６】
前記第１メモリは、ＥＥＰＲＯＭであることを特徴とする請求項２３ないし請求項２５のいずれか１項に記載のプロジェクタ。
【請求項２７】
静止画データを格納する第２メモリを有し、
前記静止画出力回路は、内部メモリと、
前記第２メモリから所定の静止画データを読み出し前記内部メモリに格納するとともに、前記内部メモリから静止画データを読み出し所定の静止画を生成する手段１とを有することを特徴とする請求項２２に記載のプロジェクタ。
【請求項２８】
前記第２メモリは、フラッシュメモリカードであることを特徴とする請求項２７に記載のプロジェクタ。
【発明の詳細な説明】
【技術分野】
【０００１】
本発明は、液晶表示装置およびプロジェクタに係り、特に、反射型液晶表示パネルを用いた液晶表示装置およびプロジェクタに関する。
【背景技術】
【０００２】
垂直配向型液晶において、反射型液晶表示パネルでは、ブラックマトリックスとなる遮光膜が存在しないため、横電界によるドメインが観察されやすく、プレチルトを持った配向にて特定の方向に発生するドメインが、解像度を劣化させる要因となっていた。
更に、３板式プロジェクタでは、光源から射出された光をＲＧＢの３原色に偏光分離し、３枚の液晶表示パネルに入射後、反射光を再度光学系により合成して、スクリーンに投影する。（下記、特許文献１〜３参照）
一方、反射型液晶表示パネルなどの表示デバイスに表示する検査パターンは、光学メーカ、プロジェクタセットメーカ独自のノウハウがある。
ＨＤＴＶの高解像度のパターンジェネレータを多く準備するのは、セットメーカにとって負担が大きい。しかもセットメーカはその検査パターン等を公開したくない。そこで、セットメーカ側で自由にパターンを書き換え、自発するシステムの開発が必要であった。
従来のプロジェクタシステムは、パーソナルコンピュータ（以下、ＰＣという）とプロジェクタとを接続して構成されており、ＰＣからプロジェクタに送信される画像データ等はアナログＲＧＢ信号やＤＶＩのデジタル信号から構成されている。
このため、アナログ信号の場合、ＰＣ側で持っているデジタルデータ（ドット市松、ラスタなどの評価画像、プレゼンテーションの資料などの静止画）を一旦アナログ信号に変換してからプロジェクタに出力している。
また、高解像度対応のパネル（ＨＤＴＶ）を評価するためのＨＤＴＶ出力のパターンジェネレータは非常に高価である。それはデジタル信号出力でも同様に高価であり、また、ＨＤＴＶ対応のＰＣも高価である。
他方、図３０に示すように、反射型液晶表示パネル等の各画素は、薄膜トランジスタ（ＳＷａ）の１段構成であったため、図３１に示すような順次走査となる。
即ち、従来の技術では、１フレームの間に、順次Ｈレベルのライン選択パルスがゲート線Ｇに印加され、各表示ラインの画素の薄膜トランジスタ（ＳＷａ）がオンとなり、ドレイン線Ｄから入力された映像信号が、各画素の液晶容量Ｃｃに書き込まれる。
なお、図３１において、内部に１Ｆと記載された四角は、１フレームを表している。
【０００３】
なお、本願発明に関連する先行技術文献としては以下のものがある。
【特許文献１】特開２００４−１６３９２１号公報
【特許文献２】特開２００３−６６４５９号公報
【特許文献３】特開２００２−２６８０６６号公報
【発明の開示】
【発明が解決しようとする課題】
【０００４】
前述したような、３板式プロジェクタでは、光学系の構造上から、３枚の液晶表示パネルのうち必ず１枚は左右、又は上下に反転した形で合成されるため、パネル上の画像表示を反転する必要がある。
このとき、プレチルトを持った配向方向により、ＲＧＢの３枚の液晶表示パネルのうち、１枚が他と異なる方向にドメインを発生させる。これにより、スクリーン上には、異なる方向に発生した色のドメインと、その反対側で異なる方向に発生した色のドメインの補色が現れ、色のにじみとして観察され、著しく解像度感を損ねるという問題点があった。
【０００５】
一方、光学、セットメーカは画質検査、寿命試験などに一度に多くのＰＣまたはパターンジェネレータが必要である（１０台から１００台当たり前）。検査、試験は静止画がほとんどであるが、既存のラスタ、カラーバー等の論理パターン以外の画像も必要である。
特に、ゴースト評価用、スミア評価用の縦縞、横縞画像やモノスコ画像、自然画などの静止画が必要である。更に、それらは光学、セットメーカ等の検査、試験の用途毎に任意に書き換え可能にしたいという要望もある。
このように、反射型液晶表示パネルなどの表示デバイスの検査においては、これまでは、ＰＣまたはパターンジェネレータを数台使用していたが、もっと安価で自由に書き換え可能なシステムが必要であるという問題点があった。
また、ＨＤＴＶなどの高解像度に対応パネルの画質検査に劣化のない画像信号が必要であるという問題点もあった。
さらに、パネルコントローラ内蔵の論理パターンでは画質検査の項目を全て網羅しきれず、その上、安価で大量に光学、セットメーカ等の内部で書き換え処理ができるシステムがないという問題点もあった。
【０００６】
他方、従来、反射型液晶表示パネルなどの液晶表示パネルの各画素は、トランジスタの１段構成であったため、入力された映像信号をそのまま画素に順次書込みすることしかできなかった。
液晶表示パネルでの表示は、ホールド型の表示となるが、液晶の応答時間が数ｍｓ程掛かるため、トランジスタの１段構成の場合、順次書込みによる上側と下側で応答に差が生じていた。
これにより、画面の上側と下側で隣接フレームの映像がオーバーラップする状態が発生し、動画表示の際に残像感となっていた。
また、単板フィールドシーケンシャル駆動の際にカラーフィルタのスクロール処理と同期させなければ色が混色してしまう問題点もあった。
【０００７】
本発明は、前記従来技術の問題点を解決するためになされたものであり、本発明の目的は、プロジェクタにおいて、プレチルトを持った配向方向により生じる色ドメインの発生するのを防止することが可能となる技術を提供することにある。
また、本発明の他の目的は、光学、セットメーカ等の内部で書き換え処理が可能な検査パターン発生回路を有するプロジェクタを提供することにある。
また、本発明の他の目的は、動画表示の際の残像感が軽減でき、単板フィールドシーケンシャル駆動時の混色を回避することが可能な液晶表示装置を提供することある。
本発明の前記ならびにその他の目的と新規な特徴は、本明細書の記述及び添付図面によって明らかにする。
【課題を解決するための手段】
【０００８】
本願において開示される発明のうち、代表的なものの概要を簡単に説明すれば、下記の通りである。
前述の目的を達成するために、本発明のプロジェクタは、光学系により、左右又は上下反転させる液晶表示パネルは、配向方向が他のパネルと異なるものを使用し、スクリーン上にて、各パネルの配向方向が揃うようにしたことを特徴とする。
また、本発明のプロジェクタは、液晶表示パネルの配向方向を、左右又は上下反転させる方向と直角に交わる方向とすることにより、ドメインが出る方向を縦方向又は横方向のみとし、１枚のみパネルを反転して表示した場合でも、ドメインの出る方向を同じくしたことを特徴とする。
【０００９】
また、本発明のプロジェクタは、各液晶表示パネルを駆動する制御回路とを備え、前記制御回路が、検査または試験に使用される任意のパターンを生成、出力するパターン出力回路と、検査または試験に使用される任意の静止画を生成、出力する静止画出力回路とを有することを特徴とする。
前記パターン出力回路は、フレームメモリと、第１のメモリ（例えば、ＥＥＰＲＯＭ）から、縦縞あるいは横縞の１表示ライン分のパターンデータを読み出し前記フレームメモリに格納するとともに、前記フレームメモリから前記縦縞あるいは横縞の１表示ライン分のパターンデータを繰り返して読み出し、所定の縦縞あるいは横縞のパターンを生成する。
前記静止画出力回路は、内部メモリと、第２メモリ（例えば、フラッシュメモリカード）から所定の静止画データを読み出し前記内部メモリに格納するとともに、前記内部メモリから静止画データを読み出し所定の静止画を生成する。
【００１０】
また、本発明では、液晶表示パネルの各画素に、スイッチ素子として機能する薄膜トランジスタを追加することで、順次書込みされる映像信号をパネル内部に一時保存しておいた後、全画面一括書込み、または、ブロック毎一括書込み、あるいは、２段目高速書込みを行う。
本発明によれば、液晶表示パネルの画面内の全ての場所で、ほぼ同時に液晶の応答が完了するため、フィルムライクな動画表示となり、動画表示の際の残像感が軽減でき、単板フィールドシーケンシャル駆動時の混色を回避することができる。
【発明の効果】
【００１１】
本願において開示される発明のうち代表的なものによって得られる効果を簡単に説明すれば、下記の通りである。
（１）本発明によれば、３板式プロジェクタにおける３つの液晶表示パネルのドメイン発生方向をスクリーン上で揃えることにより、ドメインによる色にじみを解消することが可能となる。
（２）本発明によれば、光学、セットメーカ等の内部で書き換え処理が可能な検査パターン発生回路を有するプロジェクタを提供することが可能となる。
（３）本発明によれば、動画表示の際の残像感が軽減でき、単板フィールドシーケンシャル駆動時の混色を回避することが可能な液晶表示装置を提供することが可能となる。
【発明を実施するための最良の形態】
【００１２】
以下、図面を参照して本発明の実施例を詳細に説明する。
なお、実施例を説明するための全図において、同一機能を有するものは同一符号を付け、その繰り返しの説明は省略する。
［実施例１］
図２は、反射型液晶表示パネルを用いたプロジェクタに使用される光学エンジンの一例を示す断面図である。
図２に示す例では、例えば、高圧水銀ランプを光源１とし、第１の色分離素子２にて、赤とシアンに分離され、赤（Ｒ）は、偏光ビームスプリッタ（以下、ＰＢＳという）１１を介して、反射型液晶表示パネル２１に入射される。
シアンは、第２の色分離素子３にて、緑（Ｇ）と青（Ｂ）に分離され、各々ＰＢＳ（１２，１３）を介して、反射型液晶表示パネル（２２，２３）に入射される。
各反射型液晶表示パネル（２１，２２，２３）からの出射光は、色合成素子１５で合成されレンズ側に出射され、スクリーンに投影されるが、緑の出射光は、そのままレンズ側に出射され、赤と青は、色合成素子１５にて、各１回反射し、レンズ側に出射され、スクリーンに投影される。
従って、赤と青は、反射型液晶表示パネルに表示された画像が、左右反転した状態でスクリーンに表示されるため、緑とは左右の表示方向が異なった状態となる。
実製品では、緑を、反射型液晶表示パネルの映像信号走査方向を反転することにより、他の色と表示を合わせている。
このとき、３枚の反射型液晶表示パネルが同一の配向方向であれば、表示された画像は、映像信号の反転によりスクリーン上にて統一されるが、配向方向は緑のみスクリーン上で左右反転した状態となっている。
【００１３】
図３は、反射型液晶表示パネルを用いたプロジェクタに使用される光学エンジンの他の例を示す断面図である。
図３に示す例では、例えば、高圧水銀ランプを光源１とし、色分離素子５にて、緑と、赤および青に分離され、緑（Ｇ）は、ＰＢＳ１６を介して、反射型液晶表示パネル２２に入射される。
赤（Ｒ）と青（Ｂ）は、ＰＢＳ１７を介して、反射型液晶表示パネル（２１，２３）に入射される。
各反射型液晶表示パネル（２１，２２，２３）からの出射光は、色合成素子１９で合成されレンズ側に出射され、スクリーンに投影されるが、緑の出射光は、そのままレンズ側に出射され、また、赤の出射光は、色合成素子１９で１回反射してレンズ側に出射され、さらに、青の出射光は、ＰＢＳ１７と色合成素子１９でそれぞれ１回反射するので、合計で２回反射し、レンズ側に出射される。
従って、緑と青は、左右の表示方向が同一であるが、赤は左右表示が反転した状態となり、スクリーン上の表示は映像信号の反転により統一できるが、配向方向は赤のみ左右反転した状態となっている。
【００１４】
図４は、垂直配向の液晶モデルであり、液晶が電圧印加時に一定方向に倒れるよう、プレチルト角を持たせた状態を示す図である。
図５は、反射型液晶表示パネルの断面構造を示す断面図である。
垂直配向液晶では、電圧を印加しない部分は液晶分子が立ち、黒表示となる。電圧を印加することにより、液晶分子が配向方向に倒れ、白表示となる。
なお、図５において、３０は画素電極、３１，３３は配向膜、３２は液晶、３４は透明電極（対向電極）、３５はガラス基板である。
図６は、横電解によるドメイン発生のメカニズムを説明する図である。
白部に印加した電圧により、黒部との境に横電解が生じるが、配向方向に黒→白と変化する境界部は、横電界が白部で液晶を倒す方向に働くため影響ないが、白→黒と変化する境界部には、横電界により白部にて逆チルト方向に倒れる液晶が発生する。これがドメインと呼ばれる現象であり、白黒の境界部がぼやける現象となる。
図７は、斜め４５°に配向した垂直配向型反射型液晶表示パネルにて、白黒のパターンを表示した例であり、配向方向に白→黒と変化する部分でドメインが発生することを示している。
赤、青は、スクリーン上にて、図７（ａ）に示すドメインが発生し、緑は、図７（ｂ）のドメインが発生する。
従って、スクリーン上では、図８に示すように、緑とマゼンダの色にじみとして認識され、著しく解像度感を損なう。
図８は、図２に示す光学系にて配向方向が同一の３枚の反射型液晶表示パネルを用いて表示した場合である。
【００１５】
図１は、本発明の実施例の、３板式プロジェクタ用の３枚の反射型液晶表示パネルを示す図である。
図１では、３枚の反射型液晶表示パネル内、１枚の反射型液晶表示パネル（パネル３）として、他の反射型液晶表示パネル（パネル１、２）に対して、液晶の配向方向が、９０度異なるものを使用していることを示す。
本実施例のように、３枚の反射型液晶表示パネル内、緑の反射型液晶表示パネルを、他の赤、青の反射型液晶表示パネルに対し、液晶の配向方向を９０度を変えたものを組み合わせることによりスクリーン上は、３枚の反射型液晶表示パネルの液晶の配向方向が、図７（ａ）の方向に揃い、色にじみが発生することが無い。
図９は、本発明の実施例の変形例を示す図である。
図９に示す例では、スクリーン上で映像表示方向を合わせるために、１枚の反射型液晶表示パネルの表示を左右反転させる光学系の場合、反射型液晶表示パネルの液晶の配向方向を４５°ではなく０°にすることにより、スクリーン上のパネル表示向きに関わらず、ドメインの発生方向を１辺に限定した方式である。
【００１６】
［実施例２］
図１０は、本発明の実施例２の３板式プロジェクタのシステム構成を示すブロック図である。
プロジェクタの外部から入力される映像信号は、いくつかのフォーマットがあり、それぞれに応じた取りこみ回路が用意される。アナログ映像信号はＡＤ／ＰＬＬ回路１０８でデジタルに変換され、セレクタ１０１を経て、ＬＣＯＳ（Liquid Crystal on Silicon）パネルコントロールＬＳＩ（１０２Ｒ，１０２Ｇ，１０２Ｂ）に入力される。
また、デジタル映像信号は、各種インターフェース回路（ＬＶＤＳ、ＤＶＩなど）、セレクタ１０１を経て、パネルコントロールＬＳＩ（１０２Ｒ，１０２Ｇ，１０２Ｂ）に入力される。図１０では、デジタル映像信号は、ＬＶＤＳレシーバ１０７を介して入力される場合を図示している。
パネルコントロールＬＳＩ（１０２Ｒ，１０２Ｇ，１０２Ｂ）に入力され、信号処理された映像信号は、アナログドライバ（１０３Ｒ，１０３Ｇ，１０３Ｂ）でＤＡ変換され、反射型液晶表示パネル（１０４Ｒ，１０４Ｇ，１０４Ｂ）に入力される。
図１０に示すパネルコントロールＬＳＩ（１０２Ｒ，１０２Ｇ，１０２Ｂ）は、書き換え可能な評価パターン発生回路（書き換え可能な縞パターン出力回路および書き換え可能な静止画出力回路）を内蔵したＬＣＯＳ（Liquid Crystal on Silicon）パネルコントロールＬＳＩである。
【００１７】
図１１は、図１０に示すパネルコントロールＬＳＩ（１０２Ｒ，１０２Ｇ，１０２Ｂ）の内部機能を説明するためのブロック図である。
通常の動画の映像信号は、前段のセレクタ１１０を通り、信号処理回路１１１で処理され、後段のセレクタ１１２を経て出力される。
信号処理回路１１１は、映像信号のデータレートの変換、γ補正等の信号処理を行う。また、映像信号に合わせ、液晶パネルの駆動に必要な各種駆動パルスを生成し、さらに、簡単なラスタ、グレースケール、市松、格子パターンなどの論理パターンの信号も出力する。
なお、表示信号がデジタル信号の場合には直接、または、各種インターフェース回路（ＬＶＤＳ、ＤＶＩなど）を経て、信号処理回路に表示信号が入力される。
次に、書き換え可能な縞パターン出力回路１２０と、静止画出力回路１３０について説明する。
縞パターン用のデータを読み込む場合、まず、図１０のデータ設定用マイコン１００からの制御信号、読込スタートの信号がパネルコントロールＬＳＩ（１０２Ｒ，１０２Ｇ，１０２Ｂ）に入力されると、ＥＥＰＲＯＭ制御部１２１は、イネーブル、読込スタートに対応したアドレスを出力し、そのデータをＥＥＰＲＯＭ（Electrically Erasable and Programmable ROM）１０９から読み出す。
読み出されたデータは、セレクタ１１０を経て、パネルコントロールＬＳＩ（１０２Ｒ，１０２Ｇ，１０２Ｂ）に入力され、パネルコントロールＬＳＩ内のＲＡＭ１２３に展開される。
展開されたデータは、パネルコントロールＬＳＩ内のカウンタ１１３で使用される水平同期信号または垂直同期信号に同期して、ＲＡＭ制御部１２２によって繰返しＲＡＭ１２３から読み出される。
ＲＡＭ書き込みよる表示画面の乱れを防ぐため、読み出されたデータは表示画面使用ＲＡＭ以外に保存することもできる。
【００１８】
図１２は、図１１に示す縞パターン出力回路１２０の動作を説明するための図である。
図１２において、縞パターンデータは、データ設定用マイコン１００を介して、外付けＥＥＰＲＯＭ１０９に登録される。ここで、登録は、外付けＥＥＰＲＯＭ１０９に１ライン分のデータを複数登録できる。
縦縞は、ＨＤＴＶ（１９８０×１０８０）なら、１ラインに付き８ｂｉｔで１９８０ｂｙｔｅ、同様に横縞は１０８０ｂｙｔｅの容量で済む。
読み出しは、データ設定用マイコン１００によって、パネルコントロールＬＳＩ（１０２Ｒ，１０２Ｇ，１０２Ｂ）に読込スタートの信号が入力されると、パネルコントロールＬＳＩ内のＥＥＰＲＯＭ制御部１２１がイネーブル、読込スタートに対応したアドレスを出力し、そのデータをＥＥＰＲＯＭ１０９から読み出す。
読み出されたデータは、パネルコントロールＬＳＩ内のそれぞれに対応したＲＡＭ１２３にデータ展開される。展開された縞データはＲＡＭ制御部１２２によって出力される。
図１３に示すように、ＨＤＴＶなら縦縞は、１９８０ｂｙｔｅ分のデータを水平同期信号に同期して画素タイミングで繰り返し出力する。
同様に、図１４に示すように、横縞は、１０８０ｂｙｔｅ分のデータを垂直同期信号に同期して水平同期タイミングで繰り返し出力する。
また、図１２において、ＥＥＰＲＯＭ１０９に書き込むデータを１ラインでなく単位ブロック（縦ｎ×横ｍ＝ｎｍｂｙｔｅの任意サイズ）にすれば、図１３、図１４に示す方法を組み合わせることで、図１６に示すような市松模様を任意のサイズで表示することができる。
【００１９】
図１１に示す静止画出力回路１３０は、図１０に示すデータ設定用マイコン１００からの制御信号、読込スタートの信号がパネルコントロールＬＳＩ（１０２Ｒ，１０２Ｇ，１０２Ｂ）に入力されると、フラッシュメモリカード制御部１３１からイネーブル、読込スタートに対応したアドレスを出力し、データをフラッシュメモリカード１０６から読み込む。そのデータは、セレクタ１１０を経て、フレームメモリＲＡＭ１３３に書き込まれる。
１画像分読み込むと、ＲＡＭ制御部１３２によって、カウンタ１１３で生成した外部映像信号の水平同期信号または回路上の水晶より生成した水平同期信号に同期して出力される。
図１５は、図１１に示す静止画出力回路１３０の動作を説明するための図である。
図１５において、データ設定用マイコン１００の読込スタート信号とアドレスを基に、パネルコントロールＬＳＩ内のフラッシュメモリカード制御部１３１は、フラッシュメモリカード１０６の制御信号を生成する。
フラッシュメモリカード１０６から１ページに数百（例えば、スマートメディアは５２８）ｂｙｔｅづつ読み込んだデータは、パネルコントロールＬＳＩ内のフレームメモリＲＡＭ１３３に展開される。
【００２０】
読み込み量、読み込み回数は、フラッシュメモリカードの種類、容量によって任意に代えることができる。
その後、カウンタ１１３で生成された外部映像信号の水平同期信号または回路上の水晶より生成した水平同期信号に同期して、ＲＡＭ制御部１３２によって１ラインづつ、例えば、ＨＤＴＶなら１０８０ラインを、フレームメモリＲＡＭ１３３から読み出し、繰り返し反射型液晶表示パネル（１０４Ｒ，１０４Ｇ，１０４Ｂ）ヘＨＤＴＶの静止画を表示する。
パネルコントロールＬＳＩ（１０２Ｒ，１０２Ｇ，１０２Ｂ）は、ＨＤＴＶ分（１９８０×１０８０×８ｂｉｔ）のフレームメモリＲＡＭ１３３を余分に持てば良い。
書き換えの場合は、同様に、データ設定用マイコン１００の読込スタート信号とアドレスを基に前述の処理を繰り返す。
なお、前述の説明では、例として、ＨＤＴＶサイズの画像処理を挙げたが、より小さいサイズでも同様な処理を行えば表示でき、より大きいサイズでは内蔵ＲＡＭ容量を大きくすれば問題ない。
また、本実施例の書き換え可能な縞パターン出力回路と書き換え可能な静止画出力回路内蔵パネルコントロールＬＳＩ（１０２Ｒ，１０２Ｇ，１０２Ｂ）とセレクタ１０１を、従来のパネルコントロールＬＳＩとセレクタと交換することにより、従来のプロジェクタにおいて、通常のアナログ映像と、ＬＶＤＳ、ＤＶＩなどのデジタル映像はもちろん、フラッシュメモリカード１０６の静止画データ及びＥＥＰＲＯＭ１０９のプロジェクタ評価用パターンデータを読み出すことが可能になる。
【００２１】
［実施例３］
前述したように、従来の液晶表示パネルは、映像信号を画素に順次書込みしており、また、液晶表示パネルはホールド型の表示方式のため、動画表示では、画面の上側と下側で隣接フレームの映像がオーバーラップする状態が発生し、これが動画表示の際に残像感となっていた。
また、単板でフィールドシーケンシャル駆動する場合等、色を時分割で駆動すると、画面の上側と下側で混色しやすいという問題があった。
そこで、本実施例では、液晶表示パネルの各画素に、スイッチ素子として機能する薄膜トランジスタ（ＳＷｂ）を追加することで、順次書込みされる映像信号をパネル内部に一時保存しておいた後、全画面一括書込み、または、ブロック毎一括書込み、あるいは、２段目高速書込みを行う。
本実施例の駆動方法によれば、液晶表示パネルの画面内の全ての場所で、ほぼ同時に液晶の応答が完了するため、フィルムライクな動画表示対応、単板フィールドシーケンシャル駆動時の混色回避、コモン反転による低耐圧プロセス対応、黒を任意の期間挿入出来ることによる動画表示改善など多くの利点がある。
【００２２】
図１７は、本発明の実施例３の液晶表示パネルの等価回路を示す回路図である。
図１７に示すように、本実施例では、各画素に、スイッチング素子として機能する薄膜トランジスタ（ＳＷｂ）を追加することで、薄膜トランジスタの２段構成とする。
なお、図１７において、Ｄ１〜Ｄｎはドレイン線、Ｇ１〜Ｇｍはゲート線、ＴＧ１はトリガ線、Ｃａ（ｍ，ｎ）はドレイン線容量、Ｃｂ（ｍ，ｎ）は第１の容量素子、Ｃｃ（ｍ，ｎ）は第２の容量素子であり、この場合、コンデンサのチャージシェアが問題とならない比率のＣａ，Ｃｂ，Ｃｃ（Ｃａ＞Ｃｂ＞Ｃｃ）とする。
本実施例では、ゲート線（Ｇ１）にＨｉｇｈレベル（以下、単に、Ｈレベル）のライン選択信号を印加することにより、ドレイン線（Ｄ１〜Ｄｎ）から入力された映像信号を、薄膜トランジスタ（ＳＷａ（１，１）〜ＳＷａ（１，ｎ））を介して、第１の容量素子（Ｃｂ（１，１）〜Ｃｂ（１，ｎ））へ一時保存する。
１フレームの間に、ゲート線（Ｇ１〜Ｇｍ）に、Ｈレベルのライン選択信号を順次印加することにより、前述した処理を、全ての第１の容量素子（Ｃｂ（ｍ，ｎ））に対して行い、ドレイン線（Ｄ１〜Ｄｎ）から入力された映像信号を全ての第１の容量素子（Ｃｂ（ｍ，ｎ））へ一時保存する。
その後、トリガ線（ＴＧ１）に、Ｈレベルトリガパルスを印加することにより、第１の容量素子（Ｃｂ（ｍ，ｎ））に保存された映像信号を、薄膜トランジスタス（ＳＷｂ（１，１）〜ＳＷｂ（１，ｎ））を介して、一括して第２の容量素子（Ｃｃ（ｍ，ｎ））へ書込む。
【００２３】
図１８は、本発明の実施例３の液晶表示パネルの変形例の等価回路を示す回路図である。
図１８に示す例では、図１７の構成に薄膜トランジスタ（ＳＷｃ）を追加して、薄膜トランジスタの３段構成としている。
なお、図１８において、ＴＧ２はリセット線、ＳＧは外部信号線であり、外部信号線（ＳＧ）に所定の電圧を印加するとともに、リセット線（ＴＧ２）にリセットパルスを印加して薄膜トランジスタ（ＳＷｃ）を周期的にオンとすることにより、第２の容量素子（Ｃｃ）のチャージを周期的にリセットすることができ、第１の容量素子（Ｃｂ）の電圧を、より忠実に第２の容量素子（Ｃｃ）に伝送出来る
さらに、外部信号線（ＳＧ）に黒の階調電圧を供給するとともに、リセット線（ＴＧ２）にリセットパルスを印加して薄膜トランジスタ（ＳＷｃ）をオンとすることにより、黒挿入が容易となり、動画表示特性を改善することができる。
【００２４】
図１９〜図２１は、本実施例において、各画素の第２の容量素子（Ｃｃ（ｍ，ｎ））に一括して映像信号を書き込む方法を説明するための図であり、図１９は全画面一括書込み、図２０はブロック毎一括書込み、図２１は高速順次書込みを示す図である。
なお、図１９〜図２１において、内部に１Ｆと記載された四角は、１フレームを表し、この１フレームの間にドレイン線（Ｄ１〜Ｄｎ）から入力された映像信号が、各画素の第１の容量素子（Ｃｂ（ｍ，ｎ））へ一時保存される。
図１９では、１フレームの間にドレイン線（Ｄ１〜Ｄｎ）から入力された映像信号を、各画素の第１の容量素子（Ｃｂ（ｍ，ｎ））へ一時保存した後に、各画素の薄膜トランジスタ（ＳＷｂ）にＨレベルのトリガパルスを印加することにより、一括して各画素の第２の容量素子（Ｃｃ（ｍ，ｎ））へ書き込む。
図２０では、１フレームの間にドレイン線（Ｄ１〜Ｄｎ）から入力された映像信号を、各画素の第１の容量素子（Ｃｂ（ｍ，ｎ））へ一時保存した後に、ブロック毎の各画素の薄膜トランジスタ（ＳＷｂ）にＨレベルのトリガパルスを順次印加することにより、ブロック毎（例えば、バックライト単位など）に一括して各画素の第２の容量素子（Ｃｃ（ｍ，ｎ））へ書き込む。
この場合には、例えば、図２０（ｂ）に示すように、各ブロック毎にシフトレジスタ（ＳＲｂ１〜ＳＲｂｋ）を設け、トリガ線（ＴＧ１）に印加するＨレベルのトリガパルスを、前述したシフトレジスタ（ＳＲｂ１〜ＳＲｂｋ）で遅延するようにすればよい。
図２１では、１フレームの間にドレイン線（Ｄ１〜Ｄｎ）から入力された映像信号を、各画素の第１の容量素子（Ｃｂ（ｍ，ｎ））へ一時保存した後に、各表示ライン毎の各画素の薄膜トランジスタ（ＳＷｂ）にＨレベルのトリガパルスを順次印加することにより、各表示ライン毎の各画素の第２の容量素子（Ｃｃ（ｍ，ｎ））へ高速に順次書き込む。
この場合には、例えば、図２１（ｂ）に示すように、各表示ライン毎にシフトレジスタ（ＳＲｂ１〜ＳＲｂｍ）を設け、トリガ線（ＴＧ１）に印加するＨレベルのトリガパルスを、前述したシフトレジスタ（ＳＲｂ１〜ＳＲｂｍ）で遅延するようにすればよい。
【００２５】
図２２は、本実施例の一括書込みと、従来の順次書込みの場合の、画面内に表示される画像の変化を説明するための図である。
従来の順次書込みの場合には、図２２（ａ）に示すように、１表示ライン毎に、１表示ラインの各画素に映像信号が順次書き込まれるので、画面内に、前のフレーム（１Ｆ）と、現在のフレーム（２Ｆ）の画像とが混在する。
これに対して、本実施例の一括書込みでは、図２２（ｂ）に示すように、１フレーム内において、全ての画素に映像信号が一括して書き込まれるので、画面内で、前のフレーム（１Ｆ）の画像と、現在のフレーム（２Ｆ）の画像とが完全に分離し、動画表示に対して残像感の少ない画像表示が可能となる。
図２３は、本実施例の一括書込みと、従来の順次書込みの場合の、各表示ラインの各画素に保持される電圧の極性の変化を説明するための図である。
従来の順次書込みの場合には、図２３（ａ）に示すように、１表示ライン毎に、１表示ラインの各画素に映像信号が順次書き込まれるので、画面内の電圧極性として、正極性と負極性とが混在する。
そのため、共通電極に印加する共通電圧（ＶＣＯＭ）は、図２４に示すように、一定電圧である必要があり、ドライバ（例えば、図１０に示す１０３Ｒ，１０３Ｇ，１０３Ｂ）内のトランジスタに、映像信号振幅の２倍以上の電圧が入力されるために、高耐圧プロセスで製造される高耐圧トランジスタが必要であった。なお、図２４において、信号は、ノーマリホワイトの場合を図示している。
これに対して、本実施例の一括書込みでは、図２３（ｂ）に示すように、１フレーム内において、全ての画素に映像信号が一括して書き込まれるので、画面内の電圧極性が常に同じ極性となるため、図２４に示すように、コモン反転駆動法で駆動することが可能となり、ドライバ（例えば、図１０に示す１０３Ｒ，１０３Ｇ，１０３Ｂ）内のトランジスタとして、低耐圧プロセスで製造されたトランジスタを使用することが可能となる。
【００２６】
次に、本実施例の一括書込みにより可能となったコモン反転駆動法の新規な駆動方法について説明する。
図２５は、本実施例の駆動方法の変形例を説明するための図である。
ノーマリホワイトの場合は、各画素の画素電極の電圧と、共通電圧（ＶＣＯＭ）との電圧差が少ないと白で、大きいと黒となるが、図２５に示すように、駆動タイミングと同期して（ここでは、一括書込みと同期して）、各画素の画素電極の電圧と、共通電圧（ＶＣＯＭ）との電圧差が大きくなるように、共通電圧（ＶＣＯＭ）の電圧レベルを変化させる。これにより、１フレームの所定の期間、画面内に黒を表示することが可能となる。
このように、本実施例では、黒の映像信号を書き込むことなく、黒挿入が可能となり、インパルス型に近い駆動が可能となる。これにより、動画表示に対し、より残像感の少ない映像表示が可能となる。
これは、バックライトによるＯＮ−ＯＦＦが使用出来ない投射型パネルにおいて有効である。但し、図２５の場合には、共通電極の電圧レベルとして、４つの電圧レベルが必要となる。
また、黒挿入の位置は、映像信号によらず任意の位置に挿入することが可能である。さらに、共通電圧（ＶＣＯＭ）の極性を反転する位置をずらすことで、正極性と負極性期間を変えることができる。
図２６は、図２５に示す駆動方法と、従来の順次書込みの場合の黒の映像信号の書き込みを説明するための図である。
図２６（ａ）に示すように、従来の順次書込みで、黒の映像信号を書き込む場合には、駆動周波数が早くなり、動作も複雑となる。なお、図２６では、矢印（→）の部分が、黒の映像信号を書き込まれた部分を表している。
これに対して、本実施例の場合には、所定の期間内（例えば、液晶応答過渡状態にある期間）に、全画素に黒の映像信号を書き込みことができるので、簡単に黒挿入を行うことが可能となる。
【００２７】
なお、黒挿入は、黒の映像信号を書き込む方法、あるいは、バックライトを消灯する方法でも可能である。
本実施例において、黒の映像信号を書き込む場合には、図１８に示す構成において、外部信号線（ＳＧ）に黒の階調電圧を供給するとともに、リセット線（ＴＧ２）にリセットパルスを印加して薄膜トランジスタ（ＳＷｃ）をオンとすればよい。
図２７は、本実施例において、バックライトを消灯することにより、黒を挿入する場合のタイミングチャートを示す図である。
図２７に示すように、本実施例では、全画面一括書込みにより、画面内の液晶の応答が同時にスタートするため、毎フレーム毎、所定期間内（例えば、液晶応答過渡状態にある期間）に、バックライトを消灯することにより、黒を挿入することが可能である。
さらに、本実施例の一括書込みは、単板フィールドシーケンシャル駆動も簡単に行うことが可能である。
【００２８】
図２８は、本実施例の一括書込みと、従来の順次書込みの場合の、単板フィールドシーケンシャル駆動を説明するための図である。なお、図２８では、擬似的に、液晶に電圧を掛けた直後は色が薄く、応答するに従い濃く表している。
単板フィールドシーケンシャル駆動は、１フレーム内の映像信号をさらに時分割し、Ｒ・Ｇ・Ｂ分けて書き込み、液晶の応答に合わせてカラーフィルタをスクロールさせている。
従来の順次書込みで単板フィールドシーケンシャル駆動を行う場合には、図２８（ａ）に示すように、１表示ライン毎に、１表示ラインの各画素に映像信号が順次書き込まれるため、ＲとＧの映像信号が混同するとともに、液晶の応答に合わせてカラーフィルタをスクロールさせる必要があり、動作が複雑になる。
これに対して、本実施例の一括書込みの場合には、図２８（ｂ）に示すように、映像信号が全画素が一括して書込まれるため、ＲとＧの映像信号が完全に分離され、単板フィールドシーケンシャル駆動において、混色のない映像表示が可能となる。
また、従来の順次書込みで単板フィールドシーケンシャル駆動の場合に、黒を挿入する場合には、図２８（ａ）の矢印（→）に示すように動作が複雑となるが、本実施例では、図２８（ｂ）の矢印（→）に示すように、液晶の応答過渡状態のときに、バックライトを消すことで、液晶の効率の悪い時間に黒を挿入することが出来る。
図２９は、図１７に示す液晶表示パネルの１画素の構成方法を説明するための模式図であり、同図（ａ）は上から見た図、同図（ｂ）は断面図である。
同図において、ＥＣｂは第１の容量素子（Ｃｂ）の一方の電極、ＥＣｃは第２の容量素子（Ｃｃ）の一方の電極である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２９】
【図１】本発明の実施例の、３板式プロジェクタ用の３枚の反射型液晶表示パネルを示す図である。
【図２】反射型液晶表示パネルを用いたプロジェクタに使用される光学エンジンの一例を示す断面図である。
【図３】反射型液晶表示パネルを用いたプロジェクタに使用される光学エンジンの他の例を示す断面図である。
【図４】垂直配向の液晶モデルであり、液晶が電圧印加時に一定方向に倒れるよう、プレチルト角を持たせた状態を示す図である。
【図５】反射型液晶表示パネルの断面構造を示す断面図である。
【図６】横電解によるドメイン発生のメカニズムを説明する図である。
【図７】斜め４５°に配向した垂直配向型反射型液晶表示パネルにて、白黒のパターンを表示した例であり、配向方向に白→黒と変化する部分でドメインが発生することを示す図である。
【図８】図２に示す光学系にて配向方向が同一の３枚の反射型液晶表示パネルを用いて表示した場合を示す図である。
【図９】本発明の実施例の反射型液晶表示パネルの変形例を示す図である。
【図１０】本発明の実施例２の３板式プロジェクタのシステム構成を示すブロック図である。
【図１１】図１０に示すパネルコントロールＬＳＩ（１０２Ｒ，１０２Ｇ，１０２Ｂ）の内部機能を説明するためのブロック図である。
【図１２】図１１に示す縞パターン出力回路の動作を説明するための図である。
【図１３】図１１に示す縞パターン出力回路において、縦縞パターンの生成方法を説明するための図である。
【図１４】図１１に示す縞パターン出力回路において、横縞パターンの生成方法を説明するための図である。
【図１５】図１１に示す静止画像出力回路の動作を説明するための図である。
【図１６】図１１に示す縞パターン出力回路において、ブロックパターンの生成方法を説明するための図である。
【図１７】本発明の実施例３の液晶表示パネルの等価回路を示す回路図である。
【図１８】本発明の実施例３の液晶表示パネルの変形例の等価回路を示す回路図である。
【図１９】本発明の実施例３の液晶表示装置における、全画面一括書込みを説明するための図である。
【図２０】本発明の実施例３の液晶表示装置における、ブロック毎一括書込みを説明するための図である。
【図２１】本発明の実施例３の液晶表示装置における、高速順次書込みを説明するための図である。
【図２２】本発明の実施例３の一括書込みと、従来の順次書込みの場合の、画面内に表示される画像の変化を説明するための図である。
【図２３】本発明の実施例の一括書込みと、従来の順次書込みの場合の、各表示ラインの各画素に保持される電圧の極性の変化を説明するための図である。
【図２４】本発明の実施例の一括書込みと、従来の順次書込みの場合の、タイミングチャートを示す図である。
【図２５】本発明の実施例３の駆動方法の変形例を説明するための図である。
【図２６】図２５に示す駆動方法と、従来の順次書込みの場合の黒の映像信号の書き込みを説明するための図である。
【図２７】本発明の実施例３において、バックライトを消灯することにより、黒を挿入する場合のタイミングチャートを示す図である。
【図２８】本発明の実施例の一括書込みと、従来の順次書込みの場合の、単板フィールドシーケンシャル駆動を説明するための図である。
【図２９】図１７に示す液晶表示パネルの１画素の構成方法を説明するための模式図である。
【図３０】従来の液晶表示パネルの等価回路を示す回路図である。
【図３１】従来の液晶表示パネルの走査方法を示す図である。
【符号の説明】
【００３０】
１  光源（高圧水銀ランプ）
２，３  色分離素子
１１，１２，１３，１６，１７  偏光ビームスプリッタ（ＰＢＳ）
１５，１９  色合成素子
２１，２２，２３  反射型液晶表示パネル
３０  画素電極
３１，３３  配向膜
３２  液晶
３４  透明電極（対向電極）
３５  ガラス基板
１００  データ設定用マイコン
１０１，１１０，１１２  セレクタ
１０２Ｒ，１０２Ｇ，１０２Ｂ  パネルコントロールＬＳＩ
１０３Ｒ，１０３Ｇ，１０３Ｂ  アナログドライバ
１０４Ｒ，１０４Ｇ，１０４Ｂ  反射型液晶表示パネル
１０６  フラッシュメモリカード
１０７  ＬＶＤＳレシーバ
１０８  ＡＤ／ＰＬＬ回路
１０９  ＥＥＰＲＯＭ（Electrically Erasable and Programmable ROM）
１１１  信号処理回路
１２０  縞パターン出力回路
１２１  ＥＥＰＲＯＭ制御部
１２２，１３２  ＲＡＭ制御部
１２３  ＲＡＭ
１３０  静止画出力回路
１３１  フラッシュメモリカード制御部
１３３  フレームメモリＲＡＭ
ＳＷａ，ＳＷｂ，ＳＷｃ  薄膜トランジスタ
Ｄ  ドレイン線
Ｇ  ゲート線
Ｃａ  ドレイン線容量
Ｃｂ  第１の容量素子
Ｃｃ  第２の容量素子
ＴＧ１  トリガ線
ＴＧ２  リセット線
ＳＧ  外部信号線
ＳＲａ１〜ＳＲａｍ，ＳＲｂ１〜ＳＲｂｋ，ＳＲｂ１〜ＳＲｂｍ  シフトレジスタ
ＥＣｂ，ＥＣｃ  電極
【図１】
2006162639.tif 000003
【図２】
2006162639.tif 000004
【図３】
2006162639.tif 000005
【図４】
2006162639.tif 000006
【図５】
2006162639.tif 000007
【図６】
2006162639.tif 000008
【図７】
2006162639.tif 000009
【図８】
2006162639.tif 000010
【図９】
2006162639.tif 000011
【図１０】
2006162639.tif 000012
【図１１】
2006162639.tif 000013
【図１２】
2006162639.tif 000014
【図１３】
2006162639.tif 000015
【図１４】
2006162639.tif 000016
【図１５】
2006162639.tif 000017
【図１６】
2006162639.tif 000018
【図１７】
2006162639.tif 000019
【図１８】
2006162639.tif 000020
【図１９】
2006162639.tif 000021
【図２０】
2006162639.tif 000022
【図２１】
2006162639.tif 000023
【図２２】
2006162639.tif 000024
【図２３】
2006162639.tif 000025
【図２４】
2006162639.tif 000026
【図２５】
2006162639.tif 000027
【図２６】
2006162639.tif 000028
【図２７】
2006162639.tif 000029
【図２８】
2006162639.tif 000030
【図２９】
2006162639.tif 000031
【図３０】
2006162639.tif 000032
【図３１】
2006162639.tif 000033